(57)【要約】【課題】  複数のセッションに対する一斉同報を効率よく実現する。【解決手段】  連携ＧＷ管理サーバ６がＰｏＣセッションに関する情報を連携ＧＷ記憶部１８に登録する。同報発信端末５が連携ＧＷ記憶部１８を参照し、ＰｏＣセッションを指定して連携ＰｏＣサーバ３に連携ＰｏＣセッションの開始を要求する。連携ＧＷ管理サーバ６は連携ＧＷ４にＰｏＣセッションと連携ＰｏＣセッションへの参加を要求する。同報発信端末５が連携ＰｏＣサーバ３に話者権取得を要求する。連携ＧＷ４がＰｏＣサーバ１に話者権の強制取得を要求する。同報発信端末５が連携ＰｏＣサーバ３に音声を送信すると連携ＰｏＣサーバ３が連携ＧＷ４にこの音声をマルチキャストし、連携ＧＷ４がこの音声をＰｏＣサーバ１に転送するとＰｏＣサーバ１がＰｏＣ端末２にマルチキャストする。【選択図】図２
2008079195.tif 000002
【特許請求の範囲】
【請求項１】
ＰｏＣサーバによって提供され複数のＰｏＣ端末が参加するＰｏＣセッションが複数存在するときに、前記複数のＰｏＣセッションを連携させるためのＰｏＣセッション連携システムであって、
前記複数のＰｏＣセッションを連携するための連携ＰｏＣセッションを提供する連携ＰｏＣサーバと、
前記連携ＰｏＣサーバに前記連携ＰｏＣセッションの提供を依頼する連携依頼端末と、
前記複数のＰｏＣセッションのうちの一つと前記連携ＰｏＣセッションの両方にＰｏＣ端末として参加し、一方のセッションで受信したデータを他方のセッションで送信するゲートウェイと、
前記連携ＰｏＣサーバの依頼に基づいて前記ゲートウェイを前記複数のＰｏＣセッションのうちの一つと前記連携ＰｏＣセッションの両方に参加させるゲートウェイ管理サーバと
を有することを特徴とするＰｏＣセッション連携システム。
【請求項２】
請求項１に記載したＰｏＣセッション連携システムであって、
前記連携依頼端末が第１の音声データを前記連携ＰｏＣサーバに送信し、
前記連携ＰｏＣサーバが前記ゲートウェイに前記第１の音声データを送信し、
前記ゲートウェイが前記ＰｏＣサーバに前記第１の音声データを送信し、
前記ＰｏＣサーバが前記ＰｏＣ端末に前記第１の音声データを送信する
ことを特徴とするＰｏＣセッション連携システム。
【請求項３】
ＰｏＣサーバによって提供され複数のＰｏＣ端末が参加するＰｏＣセッションにＰｏＣ端末として参加するゲートウェイであって、
第１のＰｏＣセッションに参加する手段と、
第２のＰｏＣセッションに参加する手段と、
前記第１のＰｏＣセッションで受信したデータを前記第２のＰｏＣセッションで送信する手段と
を有することを特徴とするゲートウェイ。
【請求項４】
ＰｏＣサーバによって提供され複数のＰｏＣ端末が参加するＰｏＣセッションにＰｏＣ端末として参加するゲートウェイを管理し該ＰｏＣサーバと通信可能なゲートウェイ管理サーバであって、
第１のＰｏＣサーバによる第２のＰｏＣサーバの指定を受信する手段と、
前記ゲートウェイに前記第１のＰｏＣサーバが提供するＰｏＣセッションと前記第２のＰｏＣサーバが提供するＰｏＣセッションとの両方に参加するように指示する手段と
を有することを特徴とするゲートウェイ管理サーバ。
【請求項５】
ＰｏＣサーバによって提供され複数のＰｏＣ端末が参加するＰｏＣセッションが複数存在するときに、前記複数のＰｏＣセッションを連携させるためのＰｏＣセッション連携システムが実行するＰｏＣセッション連携方法であって、
前記ＰｏＣセッションの識別子を記憶部に登録するステップと、
前記記憶部に登録された前記ＰｏＣセッションの識別子を読み出し、前記ＰｏＣセッションの識別子を指定して連携ＰｏＣセッションの開始を依頼するステップと、
前記依頼された連携ＰｏＣセッションを開始するステップと、
前記指定されたＰｏＣセッションの識別子に対応するＰｏＣセッションに参加するステップと、
前記連携ＰｏＣセッションに参加するステップと、
前記参加した連携ＰｏＣセッションで受信したデータを前記参加したＰｏＣセッションで送信するステップと
を有することを特徴とするＰｏＣセッション連携方法。
【請求項６】
ＰｏＣサーバによって提供され複数のＰｏＣ端末が参加するＰｏＣセッションにＰｏＣ端末として参加するゲートウェイが実行するＰｏＣセッション連携方法であって、
第１のＰｏＣセッションに参加するステップと、
第２のＰｏＣセッションに参加するステップと、
前記第１のＰｏＣセッションで受信したデータを前記第２のＰｏＣセッションで送信するステップと
を有することを特徴とするＰｏＣセッション連携方法。
【請求項７】
ＰｏＣサーバによって提供され複数のＰｏＣ端末が参加するＰｏＣセッションにＰｏＣ端末として参加するゲートウェイが実行するＰｏＣセッション連携方法であって、
第１のＰｏＣサーバによって提供される第１のＰｏＣセッションに参加するステップと、
第２のＰｏＣサーバによって提供される第２のＰｏＣセッションに参加するステップと、
前記第１のＰｏＣセッションにおける音声データ受け入れアドレスとして前記第２のＰｏＣサーバのアドレスを前記第１のＰｏＣサーバに送信するステップと、
前記第２のＰｏＣセッションにおける音声データ受け入れアドレスとして前記第１のＰｏＣサーバのアドレスを前記第２のＰｏＣサーバに送信するステップと、
を有することを特徴とするＰｏＣセッション連携方法。
【請求項８】
ＰｏＣサーバによって提供され複数のＰｏＣ端末が参加するＰｏＣセッションが複数存在するときに、前記複数のＰｏＣセッションを連携させるためのＰｏＣセッション連携方法をＰｏＣセッション連携システムに実行させるＰｏＣセッション連携プログラムであって、前記ＰｏＣセッション連携方法は、
前記ＰｏＣセッションの識別子を記憶部に登録するステップと、
前記記憶部に登録された前記ＰｏＣセッションの識別子を読み出し、前記ＰｏＣセッションの識別子を指定して連携ＰｏＣセッションの開始を依頼するステップと、
前記依頼された連携ＰｏＣセッションを開始するステップと、
前記指定されたＰｏＣセッションの識別子に対応するＰｏＣセッションと前記連携ＰｏＣセッションの両方に参加するステップと、
前記参加した連携ＰｏＣセッションで受信したデータを前記参加したＰｏＣセッションで送信するステップと
を有することを特徴とするＰｏＣセッション連携プログラム。
【請求項９】
ＰｏＣサーバによって提供され複数のＰｏＣ端末が参加するＰｏＣセッションにＰｏＣ端末として参加するゲートウェイにＰｏＣセッション連携方法を実行させるＰｏＣセッション連携プログラムであって、前記ＰｏＣセッション連携方法は、
第１のＰｏＣセッションに参加するステップと、
第２のＰｏＣセッションに参加するステップと、
前記第１のＰｏＣセッションで受信したデータを前記第２のＰｏＣセッションで送信するステップと
を有することを特徴とするＰｏＣセッション連携プログラム。
【請求項１０】
ＰｏＣサーバによって提供され複数のＰｏＣ端末が参加するＰｏＣセッションにＰｏＣ端末として参加するゲートウェイにＰｏＣセッション連携方法を実行させるＰｏＣセッション連携プログラムであって、前記ＰｏＣセッション連携方法は、
第１のＰｏＣサーバによって提供される第１のＰｏＣセッションに参加するステップと、
第２のＰｏＣサーバによって提供される第２のＰｏＣセッションに参加するステップと、
前記第１のＰｏＣセッションにおける音声データ受け入れアドレスとして前記第２のＰｏＣサーバのアドレスを前記第１のＰｏＣサーバに送信するステップと、
前記第２のＰｏＣセッションにおける音声データ受け入れアドレスとして前記第１のＰｏＣサーバのアドレスを前記第２のＰｏＣサーバに送信するステップと
を有することを特徴とするＰｏＣセッション連携プログラム。
【発明の詳細な説明】
【技術分野】
【０００１】
本発明は、ＰｏＣサービスを提供するシステムに係り、特に、複数のＰｏＣセッションを連携する方法に関する。
【背景技術】
【０００２】
ＰｏＣ（Ｐｕｓｈ−ｔｏ−Ｔａｌｋ  ｏｖｅｒ  Ｃｅｌｌｕｌａｒ）と呼ばれる新しい通信サービスが注目されている（たとえば特許文献１）。ＰｏＣとは、双方向通話可能なトランシーバタイプの音声通話サービスである。従来からあるＶｏＩＰ（Ｖｏｉｃｅ  ｏｖｅｒ  Ｉｎｔｅｒｎｅｔ  Ｐｒｏｔｏｃｏｌ）サービス等の電話サービスと異なり、複数人の受信者（ＰｏＣクライアント）に対して一斉に音声送信可能で、かつ、受信者は応答動作をすることなく音声メッセージを受け取ることが可能という特徴がある。このような特徴により、ＰｏＣサービスは、グループ間での簡易コミュニケーションツールとして非常に多くの分野で関心を集めている。ユーザはＰｏＣクライアントに備わっている発言ボタンを押下することにより、ＰｏＣサーバから発言許可（発言権）を得て発言を行う。ＰｏＣサーバから発言権を取得できるクライアントは同時には１台のみであり、ＰｏＣクライアントは発言権を譲渡しあいながらコミュニケーションを行う。
【０００３】
現在最も一般的なＰｏＣの利用形態として、職場の部署や役職ごとにＰｏＣセッションを開催し、それぞれの部署（４Ｆスタッフ等）や役職内で複数人がコミュニケーションする形態が挙げられる。この時、複数の部署（４Ｆスタッフと５Ｆスタッフ等）に対して一斉同報したいという要望があるが、これを実現するシステムは存在しない。現状技術でこれを実現するとすれば、一旦各部署用のセッションを終了し、一斉同報先の複数部署の全メンバで構成される新しいセッションを作成するか、普段から複数部署の全メンバで構成される一斉同報用セッションを作成しておき、各メンバが自部署用セッションと一斉同報用セッションの２つのＰｏＣセッションに同時に参加しておく形態をとることになる。
【特許文献１】特開２００５−１０２０３３号公報
【発明の開示】
【発明が解決しようとする課題】
【０００４】
一斉同報用の新しいセッションを作成し直す場合には、通信環境が悪ければ一斉同報用セッションの作成に長時間を要する。すなわち、一斉同報通信の立ち上げに長時間を要する。自部署用セッションと一斉同報用セッションに同時に参加しておく場合には、ネットワークやサーバ等で多くのリソースを消費することになり、負荷が大きい。
【０００５】
本発明の目的は、複数のセッションに対する一斉同報を効率よく実現することにある。すなわち、複数のセッションにまたがる通信を速やかに立ち上げることができ、かつネットワークやサーバの負荷が少ない一斉同報の方法を提供することにある。
【課題を解決するための手段】
【０００６】
本発明にかかるＰｏＣセッション連携システムは、ＰｏＣサーバによって提供され複数のＰｏＣ端末が参加するＰｏＣセッションが複数存在するときに、複数のＰｏＣセッションを連携させるためのＰｏＣセッション連携システムであって、複数のＰｏＣセッションを連携するための連携ＰｏＣセッションを提供する連携ＰｏＣサーバと、連携ＰｏＣサーバに連携ＰｏＣセッションの提供を依頼する連携依頼端末と、複数のＰｏＣセッションのうちの一つと連携ＰｏＣセッションの両方にＰｏＣ端末として参加し、一方のセッションで受信したデータを他方のセッションで送信するゲートウェイと、連携ＰｏＣサーバの依頼に基づいてゲートウェイを複数のＰｏＣセッションのうちの一つと連携ＰｏＣセッションの両方に参加させるゲートウェイ管理サーバとを有することを特徴とする。
【０００７】
本発明にかかるゲートウェイは、ＰｏＣサーバによって提供され複数のＰｏＣ端末が参加するＰｏＣセッションにＰｏＣ端末として参加するゲートウェイであって、第１のＰｏＣセッションに参加する手段と、第２のＰｏＣセッションに参加する手段と、第１のＰｏＣセッションで受信したデータを第２のＰｏＣセッションで送信する手段とを有することを特徴とする。
【０００８】
本発明にかかるゲートウェイ管理サーバは、ＰｏＣサーバによって提供され複数のＰｏＣ端末が参加するＰｏＣセッションにＰｏＣ端末として参加するゲートウェイを管理し該ＰｏＣサーバと通信可能なゲートウェイ管理サーバであって、第１のＰｏＣサーバによる第２のＰｏＣサーバの指定を受信する手段と、ゲートウェイに第１のＰｏＣサーバが提供するＰｏＣセッションと第２のＰｏＣサーバが提供するＰｏＣセッションとの両方に参加するように指示する手段とを有することを特徴とする。
【０００９】
本発明にかかるＰｏＣセッション連携方法は、ＰｏＣサーバによって提供され複数のＰｏＣ端末が参加するＰｏＣセッションが複数存在するときに、複数のＰｏＣセッションを連携させるためのＰｏＣセッション連携システムが実行するＰｏＣセッション連携方法であって、ＰｏＣセッションの識別子を記憶部に登録するステップと、記憶部に登録されたＰｏＣセッションの識別子を読み出し、ＰｏＣセッションの識別子を指定して連携ＰｏＣセッションの開始を依頼するステップと、依頼された連携ＰｏＣセッションを開始するステップと、指定されたＰｏＣセッションの識別子に対応するＰｏＣセッションに参加するステップと、連携ＰｏＣセッションに参加するステップと、参加した連携ＰｏＣセッションで受信したデータを参加したＰｏＣセッションで送信するステップとを有することを特徴とする。
【００１０】
本発明にかかるＰｏＣセッション連携方法は、ＰｏＣサーバによって提供され複数のＰｏＣ端末が参加するＰｏＣセッションにＰｏＣ端末として参加するゲートウェイが実行するＰｏＣセッション連携方法であって、第１のＰｏＣセッションに参加するステップと、第２のＰｏＣセッションに参加するステップと、第１のＰｏＣセッションで受信したデータを第２のＰｏＣセッションで送信するステップとを有することを特徴とする。
【００１１】
本発明にかかるＰｏＣセッション連携方法は、ＰｏＣサーバによって提供され複数のＰｏＣ端末が参加するＰｏＣセッションにＰｏＣ端末として参加するゲートウェイが実行するＰｏＣセッション連携方法であって、第１のＰｏＣサーバによって提供される第１のＰｏＣセッションに参加するステップと、第２のＰｏＣサーバによって提供される第２のＰｏＣセッションに参加するステップと、第１のＰｏＣセッションにおける音声データ受け入れアドレスとして第２のＰｏＣサーバのアドレスを第１のＰｏＣサーバに送信するステップと、第２のＰｏＣセッションにおける音声データ受け入れアドレスとして第１のＰｏＣサーバのアドレスを第２のＰｏＣサーバに送信するステップとを有することを特徴とする。
【００１２】
本発明にかかるＰｏＣセッション連携プログラムは、ＰｏＣサーバによって提供され複数のＰｏＣ端末が参加するＰｏＣセッションが複数存在するときに、複数のＰｏＣセッションを連携させるためのＰｏＣセッション連携方法をＰｏＣセッション連携システムに実行させるＰｏＣセッション連携プログラムであって、ＰｏＣセッション連携方法は、ＰｏＣセッションの識別子を記憶部に登録するステップと、記憶部に登録されたＰｏＣセッションの識別子を読み出し、ＰｏＣセッションの識別子を指定して連携ＰｏＣセッションの開始を依頼するステップと、依頼された連携ＰｏＣセッションを開始するステップと、指定されたＰｏＣセッションの識別子に対応するＰｏＣセッションと連携ＰｏＣセッションの両方に参加するステップと、参加した連携ＰｏＣセッションで受信したデータを参加したＰｏＣセッションで送信するステップとを有することを特徴とする。
【００１３】
本発明にかかるＰｏＣセッション連携プログラムは、ＰｏＣサーバによって提供され複数のＰｏＣ端末が参加するＰｏＣセッションにＰｏＣ端末として参加するゲートウェイにＰｏＣセッション連携方法を実行させるＰｏＣセッション連携プログラムであって、ＰｏＣセッション連携方法は、第１のＰｏＣセッションに参加するステップと、第２のＰｏＣセッションに参加するステップと、第１のＰｏＣセッションで受信したデータを第２のＰｏＣセッションで送信するステップとを有することを特徴とする。
【００１４】
本発明にかかるＰｏＣセッション連携プログラムは、ＰｏＣサーバによって提供され複数のＰｏＣ端末が参加するＰｏＣセッションにＰｏＣ端末として参加するゲートウェイにＰｏＣセッション連携方法を実行させるＰｏＣセッション連携プログラムであって、ＰｏＣセッション連携方法は、第１のＰｏＣサーバによって提供される第１のＰｏＣセッションに参加するステップと、第２のＰｏＣサーバによって提供される第２のＰｏＣセッションに参加するステップと、第１のＰｏＣセッションにおける音声データ受け入れアドレスとして第２のＰｏＣサーバのアドレスを第１のＰｏＣサーバに送信するステップと、第２のＰｏＣセッションにおける音声データ受け入れアドレスとして第１のＰｏＣサーバのアドレスを第２のＰｏＣサーバに送信するステップとを有することを特徴とする。
【発明の効果】
【００１５】
本発明によれば、複数のセッションに対する一斉同報を効率よく実現できるという効果がある。すなわち、普段運用しているＰｏＣセッションに少数の連携ＧＷを呼び込むだけで、複数のセッションに対する一斉同報が可能となるため、極めて短時間で一斉同報通信を立ち上げることができる。また、既存のＰｏＣセッションを有効利用し、一斉同報するための新規な処理を少なくしているため、一斉同報に要するネットワーク負荷やサーバ負荷を極めて少なくできる。
【発明を実施するための最良の形態】
【００１６】
以下、図面に基づいて実施例を説明する。
【実施例】
【００１７】
図１は、本発明の実施例にかかるＰｏＣセッション連携方法を適用したＰｏＣシステムのシステム構成を示す図である。図１では２つのＰｏＣセッション１０を連携させる連携ＰｏＣセッション１２を構成する。ＰｏＣセッション１０は複数のＰｏＣ端末２と、これらにＰｏＣサービスを提供するＰｏＣサーバ１とから構成されている。ＰｏＣセッション１０が作成されたとき、ＰｏＣサーバ１が連携ＧＷ管理サーバ６にＰｏＣセッション１０の情報を登録する。同報発信端末５が連携ＧＷ管理サーバ６を参照し、連携対象セッションとなるＰｏＣセッション１０を選択すると、連携ＧＷ管理サーバ６が連携ＧＷ４をＰｏＣセッション１０に参加させる。さらに、これらの連携ＧＷ４と同報発信端末５にＰｏＣサービスを提供する連携ＰｏＣサーバ３（ＰｏＣサービスに関わる機能はＰｏＣサーバ１と同等）から構成される連携ＰｏＣセッション１２が作成される。
【００１８】
図２は、図１のシステムの詳細を説明する図である。従来のＰｏＣシステムに加えて、連携ＧＷ４と連携ＧＷ管理サーバ６が新規導入されている。これらについては後述する。ＰｏＣサーバ１には、通常のＰｏＣサーバの機能を示す基本制御部１３に加えて、管理サーバ通信部１４および連携ＧＷ通信部１５が新規導入されている。連携ＰｏＣサーバ３には、通常のＰｏＣサーバの機能を示す基本制御部１３に加えて管理サーバ通信部１６および連携ＧＷ通信部１７が新規導入されている。同報発信端末５には通常のＰｏＣ端末の機能を示す基本制御部３３に加えてＰｏＣセッション選択部３４が新規導入されている。
【００１９】
連携ＧＷ管理サーバ６には、ＰｏＣセッション１０の情報を記憶する連携ＧＷ記憶部１８、ＰｏＣサーバ１および連携ＰｏＣサーバ３と通信するためのＰｏＣサーバ通信部２０および連携ＧＷ４と通信するための連携ＧＷ通信部２２が含まれる。その他、サーバとしての通常の機能は基本制御部１９として示してある。
【００２０】
図３は、本発明の実施例における連携ＧＷ記憶部１８のデータ構造例を示す図である。ＰｏＣ＿ＩＤ１０１はＰｏＣセッション１０を識別するＩＤであり、ＰｏＣメンバ１０２はＰｏＣセッション１０に参加するメンバのリストであり、ＧＷ＿ＩＤ１０３は連携ＧＷ４を識別するＩＤであり、サーバＩＰ１０４はＰｏＣサーバ１のＩＰアドレスである。なお、利用者の便宜のためにＰｏＣセッション１０の名前を定義して連携ＧＷ記憶部１８に登録し、管理することにしてもよい。これは連携ＧＷ管理サーバ６を管理するシステム管理者が連携ＧＷ記憶部１８に書き込むことにしてもよいし、ＰｏＣセッション１０開始時に、セッションの召集者がＰｏＣメンバ１０２とともに指定することによりＰｏＣ端末２から連携ＧＷ管理サーバ６に通知することにしてもよい。こうすることにより、メンバを一々確認せずにＰｏＣセッション１０の名前によってＰｏＣセッション１０を識別することが可能となる。
【００２１】
連携ＧＷ４には、連携ＧＷ管理サーバ６と通信するための管理サーバ通信部２４のほか、連携制御部２６、連携設定記憶部２８、ＰｏＣメッセージ制御部３０およびメディア制御部３２が含まれる。その他、ゲートウェイとしての通常の機能は基本制御部２３として示してある。連携制御部２６はＰｏＣメッセージや音声の転送許可を制御する。連携設定記憶部２８には連携したセッション間でどこまで情報を共有するかという情報が格納されている。ＰｏＣメッセージ制御部３０はＰｏＣメッセージの転送や生成を行う。メディア制御部３２は音声の転送や削除を行う。
【００２２】
図４は、本発明の実施例における連携設定記憶部２８のデータ構造例を示す図である。連携設定記憶部２８には一つの連携ＧＷ４が参加する二つのセッション（ＰｏＣセッション１０と連携ＰｏＣセッション１２）に関する情報がセットになって記憶されている。ＰｏＣ＿ＩＤ１１１は連携される２つのＰｏＣセッション１０、または連携ＰｏＣセッション１２を識別するＩＤであり、対象１１２は連携相手となるＰｏＣセッション１０、または連携ＰｏＣセッション１２を示すＩＤであり、メンバ取得１１３は連携相手のＰｏＣセッション１０、または連携ＰｏＣセッション１２のメンバが見えるか否かを示すフラグであり、メディア送信１１４は連携相手のＰｏＣセッション１０、または連携ＰｏＣセッション１２に音声データを送信してもよいか否かを示すフラグであり、緊急メディア送信１１５は緊急時に連携相手のＰｏＣセッション１０、または連携ＰｏＣセッション１２に音声データを送信してもよいか否かを示すフラグであり、転送連携ＧＷ１１６はここに登録された連携ＧＷから送信されてきた音声データを連携相手のＰｏＣセッション１０、または連携ＰｏＣセッション１２に転送することを示す情報であり、変更許可１１７はこのＰｏＣセッション１０および連携ＰｏＣセッション１２に関する現在のデータを変更してもよいか否かを示すフラグである。
【００２３】
たとえば、図４は、ＰｏＣセッション１０であるＰｏＣ＿２０とＰｏＣ＿３０が連携ＰｏＣセッション１２であるＰｏＣ＿１０で連携されている状況を示している。図４の現在の登録情報によれば、ＰｏＣ＿１０からはＰｏＣ＿２０のメンバが見え、ＰｏＣ＿１０はＰｏＣ＿２０に音声送信が可能で、ＰｏＣ＿１０はＶＴ＿３０（ＰｏＣ＿３０の連携ＧＷ４）から送信されてきた音声をＰｏＣ＿２０に転送し、ＰｏＣ＿１０に関するこれらの設定を変更することができる。また、ＰｏＣ＿２０からはＰｏＣ＿１０のメンバが見えず、ＰｏＣ＿２０は緊急時にのみＰｏＣ＿１０に音声送信が可能であり、ＰｏＣ＿２０に関するこれらの設定を変更することはできない。ＰｏＣ＿１０とＰｏＣ＿３０についても同様であるが、転送連携ＧＷ１１６が定義されていないため、他の連携ＧＷ４から送信されてきた音声を転送することは許されていない。
【００２４】
なお、連携設定記憶部２８の内容は、連携ＧＷ４が作成されたときにデフォルト値を格納する。あるいは、同報発信端末５が連携ＰｏＣサーバ３に連携ＰｏＣセッション１２の開始を要求するときに設定内容を指示する形としてもよい。
【００２５】
図５は、本発明の実施例にかかるＰｏＣセッション連携方法のフローチャートである。図５に従って本実施例におけるシステムの処理の流れを説明する。
【００２６】
（ステップＳ１０２）ＰｏＣセッション１０の情報を登録する。連携ＰｏＣセッション１２を実現するために、ＰｏＣセッション１０の情報を管理しておく必要がある。新しいＰｏＣセッション１０が始まると、そのＰｏＣサーバ１は連携ＧＷ管理サーバ６にＰｏＣセッション１０に関する情報を通知し、その情報を連携ＧＷ管理サーバ６が連携ＧＷ記憶部１８に登録する。この段階ではＰｏＣ＿ＩＤ１０１、ＰｏＣメンバ１０２およびサーバＩＰ１０４が登録される。
【００２７】
（ステップＳ１０４）一斉同報先を選択する。一斉同報を行いたい同報発信端末（連携依頼端末）５が連携ＰｏＣサーバ３経由で連携ＧＷ管理サーバ６にアクセスしてＰｏＣセッション１０の情報を参照する。同報発信端末５が一斉同報先のＰｏＣセッション１０を指定して連携ＧＷ管理サーバ６に連携ＰｏＣサーバ３経由で連携ＰｏＣセッション１２の開始を要求する。
【００２８】
（ステップＳ１０６）連携ＧＷ４を準備する。連携ＧＷ管理サーバ６は指定されたＰｏＣセッション１０に参加させる連携ＧＷ４を決定して、連携ＧＷ記憶部１８にＧＷ＿ＩＤ１０３を登録し、連携ＧＷ４に準備を要求する。連携ＧＷ４は指定されたＰｏＣセッション１０のＰｏＣサーバ１にログオンし、ＰｏＣセッション１０への参加を要求する。さらに連携ＧＷ４は連携ＰｏＣサーバ３にログオンする。ここで言うログオンとはＰｏＣサーバ１あるいは連携ＰｏＣサーバ３との通信路を確保し、ＰｏＣサーバ１あるいは連携ＰｏＣサーバ３からの制御信号を受信できる状態にすることを示す。連携ＧＷ４はＰｏＣサーバ１にとって特殊なメンバと位置付けられる。すなわち、作成されたＰｏＣセッション１０に後から参加することが許され、かつ話者権の強制取得が許されるものとする。
【００２９】
（ステップＳ１０８）連携ＰｏＣセッション１２を開始する。連携ＧＷ管理サーバ６は連携ＰｏＣサーバ３に連携ＰｏＣセッション１２の開始を要求する。連携ＰｏＣサーバ３が連携ＧＷ４に連携ＰｏＣセッション１２の開始を通知すると、連携ＧＷ４が連携ＰｏＣサーバ３に連携ＰｏＣセッション１２への参加を要求する。連携ＰｏＣサーバ３が同報発信端末５に連携ＰｏＣセッション１２の開始を通知すると、同報発信端末５が連携ＰｏＣサーバ３に連携ＰｏＣセッション１２への参加を要求する。
【００３０】
（ステップＳ１１０）話者権を取得する。同報発信端末５が連携ＰｏＣサーバ３に話者権取得を要求する。連携ＰｏＣサーバ３が連携ＧＷ４に同報発信端末５への話者権付与を通知すると、連携ＧＷ４がＰｏＣサーバ１に話者権の強制取得を要求する。
【００３１】
（ステップＳ１１２）一斉同報音声を送信する。同報発信端末５が連携ＰｏＣサーバ３に音声を送信すると連携ＰｏＣサーバ３が連携ＧＷ４にこの音声をマルチキャストする。連携ＧＷ４がこの音声をＰｏＣサーバ１に転送するとＰｏＣサーバ１がＰｏＣ端末２にマルチキャストする。
【００３２】
以上が、本発明の実施例にかかるＰｏＣセッション連携方法の処理の流れの概要である。次に、この処理の流れを詳細に説明する。
【００３３】
ＰｏＣセッション１０の開始に伴ってＰｏＣセッション１０の情報が登録される。図６は、本発明の実施例におけるＰｏＣセッション１０の開始処理の流れを示す図である。
【００３４】
（ステップＳ２０１）ＰｏＣ端末２がＰｏＣサーバ１にＰｏＣセッション１０の開始を要求する。このとき、ＰｏＣ端末２はＰｏＣセッション１０のＰｏＣメンバ１０２を指定する。
【００３５】
（ステップＳ２０２）ＰｏＣサーバ１がＰｏＣセッション１０を開始する。このときＰｏＣサーバ１はＰｏＣ＿ＩＤ１０１を決定する。
【００３６】
（ステップＳ２０３）ＰｏＣサーバ１が連携ＧＷ管理サーバ６にＰｏＣセッション１０の開始を通知する。このとき、ＰｏＣサーバ１はＰｏＣ＿ＩＤ１０１、ＰｏＣメンバ１０２および自身のＩＰアドレスであるサーバＩＰ１０４を伝える。
【００３７】
（ステップＳ２０４）連携ＧＷ管理サーバ６が連携ＧＷ記憶部１８にＰｏＣ＿ＩＤ１０１、ＰｏＣメンバ１０２およびサーバＩＰ１０４を登録する。
【００３８】
（ステップＳ２０５）連携ＧＷ管理サーバ６がＰｏＣサーバ１にＰｏＣセッション１０の情報を登録したことを通知する。
【００３９】
（ステップＳ２０６）ＰｏＣサーバ１がＰｏＣ端末２にＰｏＣセッション１０の開始を通知する。このとき、ＰｏＣサーバ１はＰｏＣ＿ＩＤ１０１を伝える。
【００４０】
図７は、本発明の実施例における連携ＧＷ４準備処理の流れを示す図である。
（ステップＳ２１１）同報発信端末５が連携ＰｏＣサーバ３にＰｏＣセッション１０の情報の閲覧を要求する。
【００４１】
（ステップＳ２１２）連携ＰｏＣサーバ３が連携ＧＷ管理サーバ６にＰｏＣセッション１０の情報の閲覧を要求する。
【００４２】
（ステップＳ２１３）連携ＧＷ管理サーバ６が連携ＰｏＣサーバ３に連携ＧＷ記憶部１８に登録されているＰｏＣ＿ＩＤ１０１とＰｏＣメンバ１０２を返す。
【００４３】
（ステップＳ２１４）連携ＰｏＣサーバ３が同報発信端末５にＰｏＣ＿ＩＤ１０１とＰｏＣメンバ１０２を返す。
【００４４】
（ステップＳ２１５）同報発信端末５が連携ＰｏＣサーバ３にＰｏＣセッション１０の連携を要求する。このとき、自身を識別するためのＩＤであるＵＳＥＲ＿ＩＤと、連携させて欲しいＰｏＣセッション１０のＰｏＣ＿ＩＤ１０１を伝える。ＰｏＣ＿ＩＤ１０１に加えて、さらに連携させて欲しい個別のメンバを識別するＩＤを伝えてもよい。
【００４５】
（ステップＳ２１６）連携ＰｏＣサーバ３が連携ＧＷ管理サーバ６にＰｏＣセッション１０の連携を要求する。このとき、ＵＳＥＲ＿ＩＤ、ＰｏＣ＿ＩＤ１０１および自身のＩＰアドレスである連携サーバＩＰを伝える。
【００４６】
（ステップＳ２１７）連携ＧＷ管理サーバ６が連携ＧＷ４を選定し、ＧＷ＿ＩＤ１０３を決定して連携ＧＷ記憶部１８に登録する。
【００４７】
（ステップＳ２１８）連携ＧＷ管理サーバ６が連携ＧＷ４に連携準備を要求する。このとき、ＰｏＣ＿ＩＤ１０１、連携サーバＩＰ、サーバＩＰ１０４およびＧＷ＿ＩＤ１０３を指定する。
【００４８】
（ステップＳ２１９）連携ＧＷ４がＰｏＣサーバ１にログオンを要求する。このとき、ＧＷ＿ＩＤ１０３および音声データを受信するための音声受信アドレスを伝える。
【００４９】
（ステップＳ２２０）ＰｏＣサーバ１が連携ＧＷ４にログオンを許可する。
（ステップＳ２２１）連携ＧＷ４がＰｏＣ＿ＩＤ１０１を指定して、ＰｏＣサーバ１にＰｏＣセッション１０への強制参加を要求する。このとき、連携設定記憶部２８を参照して、ＰｏＣセッション１０が連携ＰｏＣセッション１２のメンバ取得ありとなっていれば、連携ＰｏＣセッション１２のＰｏＣメンバ１０２も伝える。
【００５０】
（ステップＳ２２２）ＰｏＣサーバ１が連携ＧＷ４にＰｏＣセッション１０への参加を許可する。このとき音声データの送信先である音声送信アドレスおよびＰｏＣセッション１０のＰｏＣメンバ１０２を伝える。
【００５１】
（ステップＳ２２３）連携ＧＷ４が連携ＰｏＣサーバ３にログオンを要求する。このとき、ＧＷ＿ＩＤ１０３および音声データを受信するための音声受信アドレスを伝える。
【００５２】
（ステップＳ２２４）連携ＰｏＣサーバ３が連携ＧＷ４にログオンを許可する。
（ステップＳ２２５）連携ＧＷ４が連携ＧＷ管理サーバ６に準備終了を伝える。
【００５３】
上記手順においては、同報発信端末５がＰｏＣセッション１０を指定する（ステップＳ２１５）手順としているが、同報発信端末５は単に参加させるメンバを指定し、連携ＰｏＣサーバ３が適切なＰｏＣセッション１０を選択する手順としてもよい。その場合、ステップＳ２１１およびＳ２１４は次のように変更され、ステップＳ２１５は割愛される。
【００５４】
（ステップＳ２１１'）同報発信端末５が連携ＰｏＣサーバ３にＰｏＣセッション１０の連携を要求する。このとき、自身を識別するためのＩＤであるＵＳＥＲ＿ＩＤと、連携させて欲しいメンバを識別するＩＤのリストであるＰｏＣメンバリストを伝える。
【００５５】
（ステップＳ２１４'）連携ＰｏＣサーバ３がＰｏＣメンバリストに含まれるすべてのメンバを含むようにＰｏＣセッション１０を選択する。選択の方法は如何様でもよいが、たとえば、ＰｏＣメンバリストに含まれるメンバを一番多く含むＰｏＣメンバ１０２に対応するＰｏＣ＿ＩＤ１０１を選定し、ＰｏＣメンバリストの残りのメンバを一番多く含むＰｏＣメンバ１０２に対応するＰｏＣ＿ＩＤ１０１を選定し、この手順をＰｏＣメンバリストのすべてのメンバが含まれるまで繰り返す。いずれのＰｏＣメンバ１０２にも含まれないメンバが残った場合は、それらのメンバは個別のメンバとして連携ＰｏＣセッション１２に参加させる。
【００５６】
こうすることにより、同報端末５にはＰｏＣセッション選択部３４を新規導入する必要がなくなり、通常のＰｏＣ端末２からの同報発信が可能となる。
【００５７】
図８は、本発明の実施例における連携ＰｏＣセッション１２の開始処理の流れを示す図である。開始処理は連携ＧＷ管理サーバ６が上記準備終了通知受信後、速やかに実施される。
【００５８】
（ステップＳ２３１）連携ＧＷ管理サーバ６が連携ＰｏＣサーバ３に連携ＰｏＣセッション１２の開始を要求する。このとき連携ＧＷ管理サーバ６はＵＳＥＲ＿ＩＤおよびＧＷ＿ＩＤ１０３を指定する。
【００５９】
（ステップＳ２３２）連携ＰｏＣサーバ３が同報発信端末５に連携ＰｏＣセッション１２の開始を通知する。このとき連携ＰｏＣサーバ３は連携ＰｏＣ＿ＩＤを伝える。
【００６０】
（ステップＳ２３３）同報発信端末５が連携ＰｏＣサーバ３に連携ＰｏＣ＿ＩＤを指定して連携ＰｏＣセッション１２への参加を要求する。
【００６１】
（ステップＳ２３４）連携ＰｏＣサーバ３が同報発信端末５に連携ＰｏＣセッション１２への参加を許可する。このとき音声データの送信先である音声送信アドレスを伝える。
【００６２】
（ステップＳ２３５）連携ＰｏＣサーバ３が連携ＧＷ４に連携ＰｏＣセッション１２の開始を通知する。このとき、連携ＰｏＣセッション１２を識別するＩＤである連携ＰｏＣ＿ＩＤ、ＵＳＥＲ＿ＩＤを伝える。
【００６３】
（ステップＳ２３６）連携ＧＷ４が連携ＰｏＣ＿ＩＤを指定して、連携ＰｏＣサーバ３に連携ＰｏＣセッション１２への参加を要求する。このとき、連携設定記憶部２８を参照して、連携ＰｏＣセッション１２がＰｏＣセッション１０のセッションのメンバ取得ありとなっていれば、ＰｏＣセッション１０に対応するＰｏＣメンバ１０２も伝える。
【００６４】
（ステップＳ２３７）連携ＰｏＣサーバ３が連携ＧＷ４に連携ＰｏＣセッション１２への参加を許可する。このとき音声データの送信先である音声送信アドレスを伝える。
【００６５】
（ステップＳ２３８）連携ＰｏＣサーバ３が同報発信端末５に連携ＰｏＣセッション１２の新しい参加メンバとしてＧＷ＿ＩＤ１０３を伝える。Ｓ２３６でＰｏＣセッション１０に対応するＰｏＣメンバ１０２の通知があった場合は、連携ＰｏＣサーバ３は同報発信端末５にさらにＰｏＣメンバ１０２を伝える。
【００６６】
（ステップＳ２３９）連携ＰｏＣサーバ３が連携ＧＷ管理サーバ６に連携ＰｏＣセッション１２の開始を通知する。このとき、連携ＰｏＣサーバ３は連携ＰｏＣ＿ＩＤ、ＰｏＣメンバ１０２および自身のＩＰアドレスである連携サーバＩＰを伝える。
【００６７】
図９は、本発明の実施例における音声送信処理の流れを示す図である。
（ステップＳ２４１）同報発信端末５が連携ＰｏＣサーバ３に連携ＰｏＣセッション１２の話者権取得を要求する。
【００６８】
（ステップＳ２４２）連携ＰｏＣサーバ３が連携ＧＷ４に連携ＰｏＣセッション１２の話者権情報を通知する。
【００６９】
（ステップＳ２４３）連携ＧＷ４が連携設定記憶部２８を参照して連携ＰｏＣセッション１２からＰｏＣセッション１０へのメディア送信のあり／なしをチェックする。なしであれば、ここで処理を終了する。
【００７０】
（ステップＳ２４４）連携ＧＷ４がＰｏＣサーバ１にＰｏＣセッション１０の話者権の強制取得を要求する。
【００７１】
（ステップＳ２４５）ＰｏＣサーバ１が連携ＧＷ４にＰｏＣセッション１０の話者権情報を通知する。
【００７２】
（ステップＳ２４６）ＰｏＣサーバ１がＰｏＣ端末２にＰｏＣセッション１０の話者権情報を通知する。
【００７３】
（ステップＳ２４７）連携ＧＷ４が連携ＰｏＣサーバ３に連携ＰｏＣセッション１２の話者権通知への応答を返す。
【００７４】
（ステップＳ２４８）連携ＰｏＣサーバ３が同報発信端末５に連携ＰｏＣセッション１２の話者権情報を通知する。
【００７５】
（ステップＳ２４９）同報発信端末５が連携ＰｏＣサーバ３に音声データを送信する。
（ステップＳ２５０）連携ＰｏＣサーバ３が連携ＧＷ４に音声データを送信する。
【００７６】
（ステップＳ２５１）連携ＧＷ４がＰｏＣサーバ１に音声データを送信する。
（ステップＳ２５２）ＰｏＣサーバ１がＰｏＣ端末２に音声データを送信する。
【００７７】
上述のように、本実施例によれば、連携用のＰｏＣセッションに少数の連携ＧＷを呼び込むだけで同報可能となるため、複数ＰｏＣセッションへの高速な一斉同報が可能となる。また、既存のＰｏＣセッションを有効利用しているため、一斉同報に要するネットワークやサーバの負荷が少ないという特徴を持つ。
【００７８】
なお、上記説明においては、同報発信端末５からの連携開始要求（ステップＳ２１５）を受けてから、指定されたＰｏＣセッション１０に連携ＧＷ４が参加する手順としているが、この代わりに、ＰｏＣセッション１０が連携ＧＷ記憶部１８に登録された時点ですぐに連携ＧＷ４がＰｏＣセッション１０に参加する手順としてもよい。すなわち、ステップＳ２１７からＳ２２２までの手順をステップＳ２０５の前に済ませておく。こうすることにより、同報発信端末５が連携開始要求（ステップＳ２１５）をしてから実際に同報発信端末５が音声送信を始める（ステップＳ２４９）までの時間を短縮することができる。
【００７９】
上記説明においては、連携ＰｏＣサーバ３や連携ＧＷ管理サーバ６および各ＰｏＣセッション１０に関わるＰｏＣサーバ１や連携ＧＷ４は異なる装置として説明しているが、これらは任意の組み合せで物理的に１台の装置上に実現されてもよい。たとえば、図１における２つのＰｏＣサーバ１と連携ＰｏＣサーバ３が物理的に１台の装置上で実現されている場合、ＰｏＣセッション１０が連携ＧＷ記憶部１８に登録された時点で既に連携ＰｏＣサーバ３がわかるため、連携ＧＷ４が連携ＰｏＣサーバ３へのログオンを済ませておくことも可能である。すなわち、ステップＳ２２３からＳ２２４までの手順もステップＳ２０５の前に済ませておくことができる。こうすることにより、同報発信端末５が連携開始要求（ステップＳ２１５）をしてから実際に同報発信端末５が音声送信を始める（ステップＳ２４９）までの時間をさらに短縮することができる。なお、あらかじめ連携ＰｏＣサーバ３が固定的に決められていれば、ＰｏＣサーバ１と連携ＰｏＣサーバ３が物理的に異なる装置上で実現されていても、同様にして時間短縮を図ることができる。
【００８０】
上記説明のステップＳ２３７とＳ２３８の間で音声送受信アドレスの付け替えを行ってもよい。すなわち、連携ＧＷ４がステップＳ２１９でＰｏＣサーバ１に伝えた音声受信アドレスをステップＳ２３７で連携ＰｏＣサーバ３から伝えられた音声送信アドレスに置き換えるよう、連携ＧＷ４がＰｏＣサーバ１に依頼する。この場合、ステップＳ２２３で連携ＧＷ４が連携ＰｏＣサーバ３に伝える音声受信アドレスは、連携ＧＷ４自身の音声受信アドレスではなく、ステップＳ２２２でＰｏＣサーバ１から伝えられた音声送信アドレスを伝えることとする。これによって、実際の音声通信は連携ＧＷ４を経由することなく、ＰｏＣサーバ１−連携ＰｏＣサーバ３間で直接通信できるようになるため、音声通信に要するリソースを低減することが可能となる。
【００８１】
上記説明においては、同報発信端末５からの一斉同報のみを説明しているが、連携されたＰｏＣセッション１０のＰｏＣ端末２から一斉同報することも可能である。たとえば、図４において、ＰｏＣ＿３０に参加している連携ＧＷ４がＶＴ＿３０であるとする。同報端末５からの一斉同報に対して質問があるとき、ＰｏＣ＿３０の参加者はその質問内容をＰｏＣ＿２０にも同報することができる。なぜならば、ＰｏＣ＿３０からＰｏＣ＿１０へのメディア送信は通常は許されていないが緊急時には許されており、ＰｏＣ＿１０はＶＴ＿３０から送信されてきた音声をＰｏＣ＿２０に転送することが許されているからである。すなわち、ＰｏＣ＿３０の参加者は緊急時として送信することにより、その送信内容をＰｏＣ＿２０にも同報することができる。一方、ＰｏＣ＿２０の参加者は図４の設定では、ＰｏＣ＿３０に同報することができない。なぜなら、転送連携ＧＷ１１６が定義されていないからである。
【００８２】
同報発信端末５の利用者が始めからそのような質問が出ることを想定している場合、質疑応答を全員に一斉同報するように連携設定記憶部２８の内容を変更することも可能である。図４において、ＰｏＣ＿１０に関する変更許可は２箇所とも可になっている。ＰｏＣ連携ＰｏＣセッション１２の開始要求時に、同報発信端末５の利用者は同報発信端末５から連携設定情報の取得を要求し、ＰｏＣ＿１０に関するＰｏＣ＿３０との連携情報において転送連携ＧＷ１１６の情報としてＰｏＣ＿２０に参加している連携ＧＷ４のＩＤであるＶＴ＿２０を登録する指示を送信することによって、ＰｏＣ＿２０の参加者とＰｏＣ＿３０の参加者は相互に一斉同報可能となる。
【００８３】
また複数のＰｏＣサーバ１を連携させるのと同様の方法で、複数の連携ＰｏＣサーバ３を連携させることも可能である。すなわちＰｏＣセッションを多段に階層化し、一斉同報することが可能である。
【００８４】
図１０−図１５は本発明の実施例におけるＰｏＣ端末の表示例を示す図である。図１０−図１５にしたがって、本発明の実施例におけるＰｏＣ端末の表示の流れを説明する。
【００８５】
図１０には、店長のＰｏＣ端末（上記実施例の同報発信端末となる）、４Ｆセッションの参加メンバのＰｏＣ端末、５Ｆセッションの参加メンバのＰｏＣ端末および６Ｆセッションの参加メンバのＰｏＣ端末の表示画面が示されている。店長のＰｏＣ端末には一斉同報の対象となるセッションを選択する画面が表示されており、セッション名の左の四角は店長が４Ｆセッションと５Ｆセッションを選択したことを示している。４Ｆ、５Ｆ、６Ｆのセッションの参加メンバのＰｏＣ端末にはそれぞれのセッションの参加メンバの名前が表示されており、名前の左の丸は話者権を取得しているメンバを示している。５Ｆセッションでは現在、誰も話者権を取得していない。
【００８６】
図１１にはセッション選択後の各ＰｏＣ端末の表示画面が示されている。店長のＰｏＣ端末には「店長」および選択されたセッション名、参加メンバの名前が表示されている。５Ｆセッションの参加メンバのＰｏＣ端末には「店長」および「４Ｆセッション」が追加されている。これは５Ｆセッションに参加した連携ＧＷの連携設定記憶部における「メンバ取得」が双方向とも「あり」となっていることを表す。一方、４Ｆセッションの参加メンバのＰｏＣ端末の表示は変わっていない。これは４Ｆセッションに参加した連携ＧＷの連携設定記憶部における「メンバ取得」が連携ＰｏＣサーバ側のみ「あり」となっていることを表す。
【００８７】
図１２には店長が話者権を取得しているときの各ＰｏＣ端末の表示画面が示されている。店長のＰｏＣ端末および５Ｆセッションの参加メンバのＰｏＣ端末では店長が話者権を取得していることを示す丸が表示されている。一方、４Ｆセッションの参加メンバのＰｏＣ端末には「話者不明」が、話者権取得を示す丸とともに追加表示されている。
【００８８】
図１３には店長が話者権を解放したあとの各ＰｏＣ端末の表示画面が示されている。店長のＰｏＣ端末および５Ｆセッションの参加メンバのＰｏＣ端末では「店長」の左にあった話者権取得を示す丸が消えている。４Ｆセッションの参加メンバのＰｏＣ端末では「話者不明」が丸とともに消えている。
【００８９】
図１４、図１５はそれぞれ４Ｆセッションおよび５Ｆセッションの参加メンバが話者権を取得したときの各ＰｏＣ端末の表示画面が示されている。
【００９０】
４Ｆセッションの参加メンバが話者権を取得した場合、図１４のように４Ｆセッションの参加メンバのＰｏＣ端末では話者権を取得したメンバの名前に○がついており、店長のＰｏＣ端末および５Ｆセッションの参加メンバのＰｏＣ端末では「４Ｆセッション」に丸がついている。一方、５Ｆセッションの参加メンバが話者権を取得した場合、図１５のように５Ｆセッションの参加メンバのＰｏＣ端末では話者権を取得したメンバの名前に○がついており、店長のＰｏＣ端末では「５Ｆセッション」に丸がついている。さらに、４Ｆセッションの参加メンバのＰｏＣ端末では「話者不明」が、話者権取得を示す丸とともに追加表示されている。
【００９１】
なお、上述した実施例にかかる各装置は、ハードウェアとして実施可能であるだけでなく、コンピュータのソフトウェアとしても実施可能である。例えば、図２に示した管理サーバ通信部２４、連携制御部２６、ＰｏＣメッセージ制御部３０およびメディア制御部３２の機能をコンピュータに実行させるプログラムを作成し、当該プログラムをコンピュータのメモリに読み込ませて実行させれば、連携ＧＷ４を実現することができる。
【００９２】
本発明の実施例にかかる各装置を実現するプログラムは、図１６に示すように、ＣＤ−ＲＯＭやＣＤ−ＲＷ、ＤＶＤ−Ｒ、ＤＶＤ−ＲＡＭ、ＤＶＤ−ＲＷ等やフレキシブルディスク等の可搬型記録媒体５４だけでなく、通信回線５６の先に備えられた他の記憶装置５８や、コンピュータシステム５２のハードディスクやＲＡＭ等の記憶装置、記録媒体６０のいずれに記憶されるものであってもよく、プログラム実行時には、プログラムはローディングされ、主メモリ上で実行される。
【００９３】
本実施例では、ＰｏＣセッションの連携を対象として説明したが、本発明にかかる技術はＰｏＣセッションのみに適用され得るものではなく、セッションを管理するサーバとセッションに参加する端末から構成され、端末間の情報共有を行うセッションであれば適用可能である。すなわち、ある方式の第１のセッションと第２のセッションを連携させる場合、１つのゲートウェイをそれぞれのセッションの端末として参加させ、一方のセッションで受信した情報を他方のセッションで送信する。これをうまく管理するために、同一方式の連携セッションを立ち上げ、既存のセッションと連携セッションの両方に参加するゲートウェイを既存のセッションごとに配置し、連携セッション内でゲートウェイ相互の情報共有を行う。さらに連携セッションに端末を参加させれば、この端末は連携している各セッションに参加することができる。
【００９４】
（付記１）ＰｏＣサーバによって提供され複数のＰｏＣ端末が参加するＰｏＣセッションが複数存在するときに、前記複数のＰｏＣセッションを連携させるためのＰｏＣセッション連携システムであって、
前記複数のＰｏＣセッションを連携するための連携ＰｏＣセッションを提供する連携ＰｏＣサーバと、
前記連携ＰｏＣサーバに前記連携ＰｏＣセッションの提供を依頼する連携依頼端末と、
前記複数のＰｏＣセッションのうちの一つと前記連携ＰｏＣセッションの両方にＰｏＣ端末として参加し、一方のセッションで受信したデータを他方のセッションで送信するゲートウェイと、
前記連携ＰｏＣサーバの依頼に基づいて前記ゲートウェイを前記複数のＰｏＣセッションのうちの一つと前記連携ＰｏＣセッションの両方に参加させるゲートウェイ管理サーバと
を有することを特徴とするＰｏＣセッション連携システム。
（付記２）付記１に記載したＰｏＣセッション連携システムであって、
前記連携依頼端末が第１の音声データを前記連携ＰｏＣサーバに送信し、
前記連携ＰｏＣサーバが前記ゲートウェイに前記第１の音声データを送信し、
前記ゲートウェイが前記ＰｏＣサーバに前記第１の音声データを送信し、
前記ＰｏＣサーバが前記ＰｏＣ端末に前記第１の音声データを送信する
ことを特徴とするＰｏＣセッション連携システム。
（付記３）付記２に記載したＰｏＣセッション連携システムであって、さらに、
前記ＰｏＣ端末が第２の音声データを前記ＰｏＣサーバに送信し、
前記ＰｏＣサーバが前記ゲートウェイに前記第２の音声データを送信し、
前記ゲートウェイが前記連携ＰｏＣサーバに前記第２の音声データを送信し、
前記連携ＰｏＣサーバが前記連携依頼端末に前記第２の音声データを送信する
ことを特徴とするＰｏＣセッション連携システム。
（付記４）付記３に記載したＰｏＣセッション連携システムであって、
前記ゲートウェイは、前記連携ＰｏＣサーバに音声を送信するか否かを指定するメディア送信情報を記憶し、該メディア送信情報に基づいて前記連携ＰｏＣサーバに前記第２の音声データを送信する
ことを特徴とするＰｏＣセッション連携システム。
（付記５）付記１に記載したＰｏＣセッション連携システムであって、
前記ゲートウェイは、前記参加した連携ＰｏＣセッションの参加メンバを前記ＰｏＣサーバに通知するか否かを指定するメンバ取得情報を記憶し、該メンバ取得情報に基づいて前記ＰｏＣサーバに前記参加メンバを通知する
ことを特徴とするＰｏＣセッション連携システム。
（付記６）ＰｏＣサーバによって提供され複数のＰｏＣ端末が参加するＰｏＣセッションにＰｏＣ端末として参加するゲートウェイであって、
第１のＰｏＣセッションに参加する手段と、
第２のＰｏＣセッションに参加する手段と、
前記第１のＰｏＣセッションで受信したデータを前記第２のＰｏＣセッションで送信する手段と
を有することを特徴とするゲートウェイ。
（付記７）ＰｏＣサーバによって提供され複数のＰｏＣ端末が参加するＰｏＣセッションにＰｏＣ端末として参加するゲートウェイを管理し該ＰｏＣサーバと通信可能なゲートウェイ管理サーバであって、
第１のＰｏＣサーバによる第２のＰｏＣサーバの指定を受信する手段と、
前記ゲートウェイに前記第１のＰｏＣサーバが提供するＰｏＣセッションと前記第２のＰｏＣサーバが提供するＰｏＣセッションとの両方に参加するように指示する手段と
を有することを特徴とするゲートウェイ管理サーバ。
（付記８）ＰｏＣサーバによって提供され複数のＰｏＣ端末が参加するＰｏＣセッションが複数存在するときに、前記複数のＰｏＣセッションを連携させるためのＰｏＣセッション連携システムが実行するＰｏＣセッション連携方法であって、
前記ＰｏＣセッションの識別子を記憶部に登録するステップと、
前記記憶部に登録された前記ＰｏＣセッションの識別子を読み出し、前記ＰｏＣセッションの識別子を指定して連携ＰｏＣセッションの開始を依頼するステップと、
前記依頼された連携ＰｏＣセッションを開始するステップと、
前記指定されたＰｏＣセッションの識別子に対応するＰｏＣセッションに参加するステップと、
前記連携ＰｏＣセッションに参加するステップと、
前記参加した連携ＰｏＣセッションで受信したデータを前記参加したＰｏＣセッションで送信するステップと
を有することを特徴とするＰｏＣセッション連携方法。
（付記９）付記８に記載したＰｏＣセッション連携方法であって、さらに、
前記参加したＰｏＣセッションで受信したデータを前記参加した連携ＰｏＣセッションで送信するステップ
を有することを特徴とするＰｏＣセッション連携方法。
（付記１０）付記９に記載したＰｏＣセッション連携方法であって、さらに、
前記参加したＰｏＣセッションで受信したデータを前記参加した連携ＰｏＣセッションで送信するか否かを指定するメディア送信情報を記憶するステップを有し、
前記参加したＰｏＣセッションで受信したデータを前記参加した連携ＰｏＣセッションで送信するステップは前記メディア送信情報に基づいて実行する
ことを特徴とするＰｏＣセッション連携方法。
（付記１１）付記８に記載したＰｏＣセッション連携方法であって、さらに、
前記参加した連携ＰｏＣセッションの参加メンバを前記参加したＰｏＣサーバに通知するか否かを指定するメンバ取得情報を記憶するステップと、
前記メンバ取得情報に基づいて前記ＰｏＣサーバに前記参加メンバを通知するステップと
を有することを特徴とするＰｏＣセッション連携方法。
（付記１２）付記８に記載したＰｏＣセッション連携方法であって、
前記連携ＰｏＣセッションの開始を依頼するステップの処理を受けて前記指定されたＰｏＣセッションの識別子に対応するＰｏＣセッションに参加するステップを実行することを特徴とするＰｏＣセッション連携方法。
（付記１３）付記８に記載したＰｏＣセッション連携方法であって、
前記前記ＰｏＣセッションの識別子を記憶部に登録するステップの処理を受けて前記指定されたＰｏＣセッションの識別子に対応するＰｏＣセッションに参加するステップを実行することを特徴とするＰｏＣセッション連携方法。
（付記１４）付記８に記載したＰｏＣセッション連携方法であって、
前記データは音声データであることを特徴とするＰｏＣセッション連携方法。
（付記１５）ＰｏＣサーバによって提供され複数のＰｏＣ端末が参加するＰｏＣセッションにＰｏＣ端末として参加するゲートウェイが実行するＰｏＣセッション連携方法であって、
第１のＰｏＣセッションに参加するステップと、
第２のＰｏＣセッションに参加するステップと、
前記第１のＰｏＣセッションで受信したデータを前記第２のＰｏＣセッションで送信するステップと
を有することを特徴とするＰｏＣセッション連携方法。
（付記１６）ＰｏＣサーバによって提供され複数のＰｏＣ端末が参加するＰｏＣセッションにＰｏＣ端末として参加するゲートウェイが実行するＰｏＣセッション連携方法であって、
第１のＰｏＣサーバによって提供される第１のＰｏＣセッションに参加するステップと、
第２のＰｏＣサーバによって提供される第２のＰｏＣセッションに参加するステップと、
前記第１のＰｏＣセッションにおける音声データ受け入れアドレスとして前記第２のＰｏＣサーバのアドレスを前記第１のＰｏＣサーバに送信するステップと、
前記第２のＰｏＣセッションにおける音声データ受け入れアドレスとして前記第１のＰｏＣサーバのアドレスを前記第２のＰｏＣサーバに送信するステップと
を有することを特徴とするＰｏＣセッション連携方法。
（付記１７）ＰｏＣサーバによって提供され複数のＰｏＣ端末が参加するＰｏＣセッションが複数存在するときに、前記複数のＰｏＣセッションを連携させるためのＰｏＣセッション連携方法をＰｏＣセッション連携システムに実行させるＰｏＣセッション連携プログラムであって、前記ＰｏＣセッション連携方法は、
前記ＰｏＣセッションの識別子を記憶部に登録するステップと、
前記記憶部に登録された前記ＰｏＣセッションの識別子を読み出し、前記ＰｏＣセッションの識別子を指定して連携ＰｏＣセッションの開始を依頼するステップと、
前記依頼された連携ＰｏＣセッションを開始するステップと、
前記指定されたＰｏＣセッションの識別子に対応するＰｏＣセッションと前記連携ＰｏＣセッションの両方に参加するステップと、
前記参加した連携ＰｏＣセッションで受信したデータを前記参加したＰｏＣセッションで送信するステップと
を有することを特徴とするＰｏＣセッション連携プログラム。
（付記１８）付記１７に記載したＰｏＣセッション連携プログラムであって、前記ＰｏＣセッション連携方法は、さらに、
前記参加したＰｏＣセッションで受信したデータを前記参加した連携ＰｏＣセッションで送信するステップ
を有することを特徴とするＰｏＣセッション連携プログラム。
（付記１９）付記１８に記載したＰｏＣセッション連携プログラムであって、前記ＰｏＣセッション連携方法は、さらに、
前記参加したＰｏＣセッションで受信したデータを前記参加した連携ＰｏＣセッションで送信するか否かを指定するメディア送信情報を記憶するステップを有し、
前記参加したＰｏＣセッションで受信したデータを前記参加した連携ＰｏＣセッションで送信するステップは前記メディア送信情報に基づいて実行する
ことを特徴とするＰｏＣセッション連携プログラム。
（付記２０）付記１７に記載したＰｏＣセッション連携プログラムであって、前記ＰｏＣセッション連携方法は、さらに、
前記参加した連携ＰｏＣセッションの参加メンバを前記参加したＰｏＣサーバに通知するか否かを指定するメンバ取得情報を記憶するステップと、
前記メンバ取得情報に基づいて前記ＰｏＣサーバに前記参加メンバを通知するステップと
を有することを特徴とするＰｏＣセッション連携プログラム。
（付記２１）付記１７に記載したＰｏＣセッション連携プログラムであって、前記ＰｏＣセッション連携方法は、
前記連携ＰｏＣセッションの開始を依頼するステップの処理を受けて前記指定されたＰｏＣセッションの識別子に対応するＰｏＣセッションに参加するステップを実行することを特徴とするＰｏＣセッション連携プログラム。
（付記２２）付記１７に記載したＰｏＣセッション連携プログラムであって、前記ＰｏＣセッション連携方法は、
前記前記ＰｏＣセッションの識別子を記憶部に登録するステップの処理を受けて前記指定されたＰｏＣセッションの識別子に対応するＰｏＣセッションに参加するステップを実行することを特徴とするＰｏＣセッション連携プログラム。
（付記２３）付記１７に記載したＰｏＣセッション連携プログラムであって、
前記データは音声データであることを特徴とするＰｏＣセッション連携プログラム。
（付記２４）ＰｏＣサーバによって提供され複数のＰｏＣ端末が参加するＰｏＣセッションにＰｏＣ端末として参加するゲートウェイにＰｏＣセッション連携方法を実行させるＰｏＣセッション連携プログラムであって、前記ＰｏＣセッション連携方法は、
第１のＰｏＣセッションに参加するステップと、
第２のＰｏＣセッションに参加するステップと、
前記第１のＰｏＣセッションで受信したデータを前記第２のＰｏＣセッションで送信するステップと
を有することを特徴とするＰｏＣセッション連携プログラム。
（付記２５）ＰｏＣサーバによって提供され複数のＰｏＣ端末が参加するＰｏＣセッションにＰｏＣ端末として参加するゲートウェイにＰｏＣセッション連携方法を実行させるＰｏＣセッション連携プログラムであって、前記ＰｏＣセッション連携方法は、
第１のＰｏＣサーバによって提供される第１のＰｏＣセッションに参加するステップと、
第２のＰｏＣサーバによって提供される第２のＰｏＣセッションに参加するステップと、
前記第１のＰｏＣセッションにおける音声データ受け入れアドレスとして前記第２のＰｏＣサーバのアドレスを前記第１のＰｏＣサーバに送信するステップと、
前記第２のＰｏＣセッションにおける音声データ受け入れアドレスとして前記第１のＰｏＣサーバのアドレスを前記第２のＰｏＣサーバに送信するステップと
を有することを特徴とするＰｏＣセッション連携プログラム。
【図面の簡単な説明】
【００９５】
【図１】本発明の実施例にかかるＰｏＣセッション連携方法を適用したＰｏＣシステムのシステム構成を示す図
【図２】図１のシステムの詳細を説明する図
【図３】本発明の実施例における連携ＧＷ記憶部のデータ構造例を示す図
【図４】本発明の実施例における連携設定記憶部のデータ構造例を示す図
【図５】本発明の実施例にかかるＰｏＣセッション連携方法のフローチャート
【図６】本発明の実施例におけるＰｏＣセッション開始処理の流れを示す図
【図７】本発明の実施例における連携ＧＷ準備処理の流れを示す図
【図８】本発明の実施例における連携ＰｏＣセッションの開始処理の流れを示す図
【図９】本発明の実施例における音声送信処理の流れを示す図
【図１０】本発明の実施例におけるＰｏＣ端末の表示例を示す図（１）
【図１１】本発明の実施例におけるＰｏＣ端末の表示例を示す図（２）
【図１２】本発明の実施例におけるＰｏＣ端末の表示例を示す図（３）
【図１３】本発明の実施例におけるＰｏＣ端末の表示例を示す図（４）
【図１４】本発明の実施例におけるＰｏＣ端末の表示例を示す図（５）
【図１５】本発明の実施例におけるＰｏＣ端末の表示例を示す図（６）
【図１６】コンピュータ環境の例を示す図
【符号の説明】
【００９６】
１：  ＰｏＣサーバ
２：  ＰｏＣ端末
３：  連携ＰｏＣサーバ
４：  連携ＧＷ
５：  同報発信端末
６：  連携ＧＷ管理サーバ
１４：  管理サーバ通信部
１５：  連携ＧＷ通信部
１６：  管理サーバ通信部
１７：  連携ＧＷ通信部
１８：  連携ＧＷ記憶部
２０：  ＰｏＣサーバ通信部
２２：  連携ＧＷ通信部
２４：  管理サーバ通信部
２６：  連携制御部
２８：  連携設定記憶部
３０：  ＰｏＣメッセージ制御部
３２：  メディア制御部
３４：  ＰｏＣセッション選択部
【図１】
2008079195.tif 000003
【図２】
2008079195.tif 000004
【図３】
2008079195.tif 000005
【図４】
2008079195.tif 000006
【図５】
2008079195.tif 000007
【図６】
2008079195.tif 000008
【図７】
2008079195.tif 000009
【図８】
2008079195.tif 000010
【図９】
2008079195.tif 000011
【図１０】
2008079195.tif 000012
【図１１】
2008079195.tif 000013
【図１２】
2008079195.tif 000014
【図１３】
2008079195.tif 000015
【図１４】
2008079195.tif 000016
【図１５】
2008079195.tif 000017
【図１６】
2008079195.tif 000018